(57)【要約】      （修正有）【課題】メークアップブラシの清掃に有効な、装置の提供。【解決手段】液体を保持するための第１の容器２０、第１の配置にあるときに液体を保持し、液体中で洗浄するためのブラシの端部を受け入れる第２の容器２２、第２の容器２２が第１の配置にあるように第２の容器２２を第１の容器２０に取り付けるハンドル３２。ハンドル３２は、第２の容器２２を排出配置に再構成し、第２の容器２２内の液を第１の容器２０に排出し、第２の容器２２を第１の配置に戻すように装置を操作する。第１の容器２０は、第２の容器２２よりも多くの液体を保持するように構成される。したがって、この装置は、第２の容器２２からブラシ洗浄に使用された液を排出し、第２の容器２２を再充填し、次いで別のブラシを洗浄するために使用することができる。【選択図】図１
2019005584.tif 000002
【特許請求の範囲】
【請求項１】
ブラシを洗浄するための液体を保持するための装置であって、
液体を保持するための第１の容器手段であって、リムを有する第１の容器手段と、
液体保持形態にあるときに液体を保持し、保持された液体内で洗浄されるブラシの繊維端を受け入れるための第２の容器手段と、
第２の容器手段が液体保持形態にあるように第２の容器手段を第１の容器手段に取り付け、前記第２の容器手段内の液体を第１の容器手段に排出する排出形態に当該第２の容器手段を再構成し、前記第２の容器手段を前記液体保持形態に戻すように操作する取付・操作手段とを備え、
前記第１の容器手段は、第２の容器手段よりも多くの液体を保持するように構成され、
前記装置はさらに、
使用時に、ブラシの洗浄中に、前記第２の容器手段内の液体が当該装置から流出することを防止するために、前記リムから上方に延びる液体阻止手段であって、当該液体阻止手段と前記第１の容器手段との間からの流出も防止する液体阻止手段を備え、
前記液体阻止手段は、ブラシの繊維端を第２の容器手段に挿入するための開口部を提供する、装置。
【請求項２】
前記液体阻止手段は、前記リムから上向きに、前記第２の容器手段内の液体の水面よりも上に延び、ブラシの繊維端を乾燥のために回転させるための空間を提供し、回転により生じる飛沫が前記装置外へ出ることを阻止する、請求項１に記載の装置。
【請求項３】
前記第１の容器手段が、当該装置を水平面上で使用するために安定して配置するように構成された基部を有する、請求項１または２に記載の装置。
【請求項４】
前記取付・操作手段は、
第１の容器手段と第２の容器手段とを、第２の容器手段の対向する側面のそれぞれに連結する第１および第２の連結手段であって、第２の容器手段内の液体を第１の容器手段内にあけるために第２の容器手段の角運動を許容するように配置された第１および第２の連結手段と、
第１の連結手段に固定して結合され、第１の連結手段を介して前記角運動を生じさせるように動作可能なハンドル手段とを備えた、請求項１〜３のいずれか一項に記載の装置。
【請求項５】
前記ハンドル手段は前記液体阻止手段の周囲に延び、前記第２の連結手段に固定的に連結され、前記第２の連結手段を介しても前記角運動を生じさせるように動作可能である、請求項４に記載の装置。
【請求項６】
前記第１および第２の連結手段は、前記第１の容器手段のリムに取り付けられている、請求項４または５に記載の装置。
【請求項７】
前記第１の連結手段は、前記第２の容器手段に固定的に結合された第１のピボット部材を備え、前記ハンドル手段は、前記第１のピボット部材に固定的に取り付けられ、前記第２の容器手段の角運動を生じさせるように動作可能である、請求項４〜６のいずれか一項に記載の装置。
【請求項８】
前記第２の連結手段は、前記第２の容器手段に固定的に結合された第２のピボット部材であって、前記第１の容器手段に結合されて前記角運動を可能にする第２のピボット部材を備える、請求項７に記載の装置。
【請求項９】
前記液体阻止手段は、前記第１のピボット部材が貫通して延びる第１の凹部を有し、前記ハンドル手段は、前記液体阻止手段の外部に位置する前記ピボット部材の一部に固定的に取り付けられている、請求項７または８に記載の装置。
【請求項１０】
前記液体阻止手段は、前記第２のピボット部材が貫通して延びる第２の凹部を有する、請求項８に従属する請求項９に記載の装置。
【請求項１１】
前記第２の容器手段は、前記第１の凹部を飛沫から遮蔽するように延びている、請求項９または１０に記載の装置。
【請求項１２】
前記第２の容器手段は、前記第２の凹部を飛沫から遮蔽するように延びている、請求項１１に記載の装置。
【請求項１３】
前記第１の容器手段は、前記第２の容器によって保持される液体の体積の少なくとも２倍を保持するように構成されている、請求項１〜１２のいずれか一項に記載の装置。
【請求項１４】
複数のブラシを洗浄する方法であって、
第２の容器に洗浄液を加えるステップであって、第２の容器が液体保持形態にあるときに、第２の容器が取付手段によって第１の容器に取り付けられているステップと、
洗浄液中に一つのブラシの繊維端を配置し、洗浄液中のブラシを洗浄するステップと、
液体からブラシの端部を取り出すステップと、
第２の容器に連結されたハンドル手段を操作して、第２の容器を液体保持形態から移動させ、洗浄液を第１の容器にあけて、第２の容器を液体保持形態に戻すステップと、
更なるブラシの洗浄を可能にするために、更なる洗浄液を第２の容器に加えるステップとを有する、方法。
【請求項１５】
前記洗浄液中に一つのブラシの繊維端を配置することは、前記繊維端を液体阻止手段の開口を通して挿入することを含む、請求項１４に記載の方法。
【請求項１６】
前記ブラシの端部を前記洗浄液から取り出した後、当該ブラシの前記端部を前記洗浄液の上方かつ前記液体阻止手段内に配置し、当該ブラシをその長さを中心に回転させる、請求項１５に記載の方法。
【発明の詳細な説明】
【技術分野】
【０００１】
本発明は、ブラシ、特にメークアップブラシを洗浄するための液体を保持するための装置に関する。本発明はまた、複数のブラシを清掃する方法に関する。
【背景技術】
【０００２】
使用済みのメークアップブラシは細菌を保有する。特に、メークアップブラシは、皮膚が繊細な顔にメークアップを適用するのに典型的に使用されるので、このような細菌は、メークアップブラシの使用者の皮膚または全般的な健康に有害であり得る。
【０００３】
汚れたメークアップブラシの使用が健康に及ぼす有害な影響の詳細は、よく知られていない。ＭＲＳＡの伝播は、メークアップブラシの共有に起因する。さらに、欧州消費者安全科学委員会（Ｅｕｒｏｐｅａｎ  Ｃｏｍｍｉｓｓｉｏｎ'ｓ  Ｓｃｉｅｎｔｉｆｉｃ  Ｃｏｍｍｉｔｔｅｅ  ｏｎ  Ｃｏｎｓｕｍｅｒ  Ｓａｆｅｔｙ）は、眼の周囲で使用される製品が、好気性中温性微生物、すなわち、細菌と酵母およびカビの合計が１００〜２００ＣＦＵ／ｇ（コロニー形成単位／グラム）を超えないことを勧告している。本発明者は、消費者および店内のプロの美容カウンタから、３５個のメークアップブラシを入手して試験した。試験したブラシのうち１８個は、２００を超えるＣＦＵ値を有していた。これらのブラシのうちの１１個は、２０００を超えるＣＦＵ値を有していた。これらのブラシのうちの３つは、２００００を超えるＣＦＵ値を有していた。
【０００４】
美容師、メークアップアーティストおよび皮膚科医は、メークアップブラシの定期的な清掃を推奨している。しかし、メークアップブラシの徹底的な清掃は、多くの人々が嫌う仕事である。
【０００５】
メークアップブラシは、しっかりと詰め込まれた毛を有する。この毛の間に、メークアップや細菌が入り込む。メークアップブラシを適切に清掃するためには、毛を分割する必要がある。また、メークアップブラシは高価であり、毛を損傷したり、ブラシから毛が抜け落ちたりしないように、清掃を慎重に行わなければならない。
【０００６】
洗浄の一般的な方法は、洗浄溶液をティッシュ上に置き、次に毛をティッシュに対して擦ることである。しかし、この方法は、ブラシを開くのではなく、ブラシを閉じることが多く、ブラシを清掃するのに効果的ではない。ブラシはまた、擦れが毛を永久に曲げる可能性があるため、損傷を受ける可能性がある。
【０００７】
別の一般的な方法は、洗浄溶液をブラシ上にスプレーすることである。この場合、スプレーはブラシにほとんど浸透せず、したがってこの方法は、ブラシの中心から化粧品を取り除く効果がない。
【０００８】
別の一般的な方法は水道蛇口の下でブラシを洗浄し、指と親指の間でブラシを擦ることである。これは、毛を束ねる接着剤を損傷する可能性がある。
【０００９】
別の方法は、ブラシをくぼみのある表面に押し付けることを含む。これは毛を広げるのに効果的であり得るが、結果として、メークアップは出てくるよりもむしろ、ブラシ内により深く押し込まれることがあり得る。
【００１０】
メークアップブラシの清掃に有効な、発明者が考案した解決策は、メークアップブラシのハンドルを電動装置に取り付け、それによってブラシをその長さを中心に回転させることである。次いで、ブラシを洗浄溶液中で回転させ、次いで空気中で回転させて乾燥させることができる。図１０を参照すると、このような洗浄溶液を保持するために、図示の透明ボウル１００を使用することが知られている。ボウル１００は、洗浄液を保持する下側部分１０２と、飛沫ガードとして機能する上側部分１０４とを備える。上側部分１０４は円形の開口部を画定し、使用時にブラシの繊維端がそれを通して挿入され、繊維端を洗浄溶液中に配置する。洗浄中にブラシが開口の側面に当たることがあるので、環状のプラスチック片１０６がリムの周りに配置され、上側部分１０４を保護する。
【００１１】
ボウル１００は、ボウルが使用されるたびに空にしなければならず、これは不便である。本発明の目的は、この問題に対処することである。
【発明の概要】
【００１２】
本発明の第１の態様によれば、ブラシを洗浄するための液体を保持するための装置が提供される。この装置は、液体を保持するための第１の容器手段であって、リムを有する第１の容器手段と、液体保持形態にあるときに液体を保持し、保持された液体内で洗浄されるブラシの繊維端を受け入れるための第２の容器手段と、第２の容器手段が液体保持形態にあるように第２の容器手段を第１の容器手段に取り付け、前記第２の容器手段内の液体を第１の容器手段に排出する排出形態に当該第２の容器手段を再構成し、前記第２の容器手段を前記液体保持形態に戻すように操作する取付・操作手段とを備え、前記第１の容器手段は、第２の容器手段よりも多くの液体を保持するように構成される。前記装置はさらに、使用時に、ブラシの洗浄中に、前記第２の容器手段内の液体が当該装置から流出することを防止するために、前記リムから上方に延びる液体阻止手段であって、当該液体阻止手段と前記第１の容器手段との間からの流出も防止する液体阻止手段を備え、前記液体阻止手段は、ブラシの繊維端を第２の容器手段に挿入するための開口部を提供する。
【００１３】
この装置は、全体として、第１の容器が満たされた場合にのみ、空にされればよい。これは、多くのメークアップブラシを洗浄しなければならない環境において、特に有用である。
【００１４】
前記液体阻止手段は、前記リムから上向きに、前記第２の容器手段内の液体の水面よりも上に延び、ブラシの繊維端を乾燥のために回転させるための空間を提供し、回転により生じる飛沫が前記装置外へ出ることを阻止しても良い。
【００１５】
前記第１の容器手段は、当該装置を水平面上で使用するために安定して配置するように構成された基部を有していても良い。
【００１６】
前記取付・操作手段は、第１の容器手段と第２の容器手段とを、第２の容器手段の対向する側面のそれぞれに連結する第１および第２の連結手段であって、第２の容器手段内の液体を第１の容器手段内にあけるために第２の容器手段の角運動を許容するように配置された第１および第２の連結手段と、第１の連結手段に固定して結合され、第１の連結手段を介して前記角運動を生じさせるように動作可能なハンドル手段とを備える。前記ハンドル手段は前記液体阻止手段の周囲に延び、前記第２の連結手段に固定的に連結され、前記第２の連結手段を介しても前記角運動を生じさせるように動作可能としても良い。前記第１および第２の連結手段は、前記第１の容器手段のリムに取り付けられていても良い。この場合、前記第１の連結手段は、前記第２の容器手段に固定的に結合された第１のピボット部材を備えても良く、前記ハンドル手段は、前記第１のピボット部材に固定的に取り付けられ、前記第２の容器手段の角運動を生じさせるように動作可能であっても良い。
【００１７】
前記第２の連結手段は、前記第２の容器手段に固定的に結合された第２のピボット部材であって、前記第１の容器手段に結合されて前記角運動を可能にする第２のピボット部材を備えても良い。
【００１８】
前記液体阻止手段は、前記第１のピボット部材が貫通して延びる第１の凹部を有しても良い。この場合、前記ハンドル手段は、前記液体阻止手段の外部に位置する前記ピボット部材の一部に固定的に取り付けられている。前記第２の容器手段は、前記第１の凹部を飛沫から遮蔽するように延びていても良い。
【００１９】
前記液体阻止手段は、前記第２のピボット部材が貫通して延びる第２の凹部を有しても良い。前記第２の容器手段は、前記第２の凹部を飛沫から遮蔽するように延びていても良い。
【００２０】
前記第１の容器手段は、前記第２の容器によって保持される液体の体積の少なくとも２倍を保持するように構成されていることが好ましく、さらには、少なくとも５倍の体積を保持できることが望ましい。装置は携帯型であることが好ましい。
【００２１】
本発明の第２の態様によれば、複数のブラシを洗浄する方法が提供される。この方法は、第２の容器に洗浄液を加えるステップであって、第２の容器が液体保持形態にあるときに、第２の容器が取付手段によって第１の容器に取り付けられているステップと、洗浄液中に一つのブラシの繊維端を配置し、洗浄液中のブラシを洗浄するステップと、液体からブラシの端部を取り出すステップと、第２の容器に連結された、例えばハンドル手段のような操作手段を操作して、第２の容器を液体保持形態から移動させ、洗浄液を第１の容器にあけて、第２の容器を液体保持形態に戻すステップと、更なるブラシの洗浄を可能にするために、更なる洗浄液を第２の容器に加えるステップとを有する。
【００２２】
前記洗浄液中に一つのブラシの繊維端を配置することは、前記繊維端を液体阻止手段の開口を通して挿入することを含んでも良い。
【００２３】
本方法は、前記ブラシの端部を前記洗浄液から取り出した後、当該ブラシの前記端部を前記洗浄液の上方かつ前記液体阻止手段内に配置し、当該ブラシをその長さを中心に回転させても良い。ブラシの端部からの飛沫は、液体阻止手段により阻止される。
【図面の簡単な説明】
【００２４】
本発明をより良く理解するために、添付の図面を参照して、本発明の実施形態を、単なる例として説明する。
【００２５】
【図１】図１は、一実施形態によるメークアップブラシの清掃に使用する装置の分解側面図である。
【図２】図２は、図１に示す装置の側面図であり、収納構成において第２の容器が反転された状態で組み立てられた形態である。
【図３】図３は、装置の平面図である；
【図４ｉ】図４ｉは、ハンドルおよび第２の容器がいくつかの異なる位置にある、装置の側面図である。
【図４ｉｉ】図４ｉｉは、ハンドルおよび第２の容器がいくつかの異なる位置にある、装置の側面図である。
【図４ｉｉｉ】図４ｉｉｉは、ハンドルおよび第２の容器がいくつかの異なる位置にある、装置の側面図である。
【図４ｉｖ】図４ｉｖは、ハンドルおよび第２の容器がいくつかの異なる位置にある、装置の側面図である。
【図４ｖ】図４ｖは、ハンドルおよび第２の容器がいくつかの異なる位置にある、装置の側面図である。
【図５ｉ】図５ｉは、容器ピボットを通る垂直面上の装置の断面図である。
【図５ｉｉ】図５ｉｉは、ピボットの拡大図である。
【図６ｉ】図６ｉはハンドルが当接する突起を示す、装置の側面図である。
【図６ｉｉ】図６ｉｉはハンドルが当接する突起を示す、装置の側面図である
【図６ｉｉｉ】図６ｉｉは、拡大された図６ｉｉの一部を示す。
【図７ｉ】図７ｉは第２の容器の斜視図であり、それぞれ、洗浄を助けるために第２の容器の表面を形成することができる異なる方法を示す。
【図７ｉｉ】図７ｉｉは第２の容器の斜視図であり、それぞれ、洗浄を助けるために第２の容器の表面を形成することができる異なる方法を示す。
【図７ｉｉｉ】図７ｉｉｉは第２の容器の斜視図であり、それぞれ、洗浄を助けるために第２の容器の表面を形成することができる異なる方法を示す。
【図７ｉｖ】図７ｉｖは第２の容器の斜視図であり、それぞれ、洗浄を助けるために第２の容器の表面を形成することができる異なる方法を示す。
【図７ｖ】図７ｖは第２の容器の斜視図であり、それぞれ、洗浄を助けるために第２の容器の表面を形成することができる異なる方法を示す。
【図８】図８は第２の容器の斜視図であり、それぞれ、洗浄を助けるために第２の容器の表面を形成することができる異なる方法を示す。
【図９】図９は、装置の使用に関与するステップのフローチャートである。
【図１０】図１０は、上述したようなメークアップブラシの清掃に使用する従来技術のボウルの斜視図である。
【図１１ｉ】図１１ｉは、別の実施形態による、容器ピボットを通る垂直面上の、装置のような別の装置の断面図である。
【図１１ｉｉ】図１１ｉｉは、図１１ｉに示されるピボットのうちの１つの拡大図であり、それぞれ、一緒に配置され、間隔を置いて配置された部品を示す。
【図１１ｉｉｉ】図１１ｉｉｉは、図１１ｉに示されるピボットのうちの１つの拡大図であり、それぞれ、一緒に配置され、間隔を置いて配置された部品を示す。
【発明を実施するための形態】
【００２６】
本発明の実施形態による液体保持装置は、メークアップブラシの洗浄に使用するためのものである。特定の用語は、便宜上および参照のためだけに以下の説明において使用され、限定的であるとみなされるべきではない。例えば、液体保持装置は使用のための特定の向きを有し、「上向き」、「下向き」、「頂部」、「底部」、「上側」、および「下側」といった用語は、その特定の向きを考慮して解釈されるべきである。
【００２７】
図１〜図３を参照すると、装置は、第１の容器２０と、第２の容器２２と、飛沫ガード２４の形態の液体阻止手段１１とを含む。第２の容器２２は洗浄液を保持し、洗浄液中の洗浄用ブラシの端部を受け入れるように構成されている。この装置は、第２の容器２２を第１の容器２０に取り付け、第２の容器２２を液体保持形態から排出形態に再構成するように、装置を操作できるようにする部品を含む。したがって、ブラシが洗浄された後、第２の容器２２内の汚れた洗浄液は、第１の容器２０内に排出されるか、またはユーザによって注がれる。第１の容器２０は、第２の容器２２内の洗浄に使用されるよりも多くの液体を保持するように寸法決めされ、その結果、第１の容器２０を空にしなければならなくなるまでに、第２の容器２２を数回排出することができる。
【００２８】
この装置は、メークアップブラシと共に使用することを意図しているが、この装置の使用はこれに限定されない。この装置は例えば、ペイントブラシと共に使用することができる。この装置は一般に、細長い器具または他の部材の端部の洗浄のために使用され得る。器具を滅菌溶液に頻繁に浸漬しなければならない病院または歯科医で使用される可能性もある。
【００２９】
第１の容器２０は、テーブルトップまたはカウンタートップなどの水平で平坦な面上に安定して配置するための基部（ベース）を有する。装置は好ましくは携帯可能であり、第１の容器２０は、持ち上げて他の場所に移動することができる。第１の容器２０は、その頂部に第１の開口部を画定するリム２６を有するほぼ垂直に延びる円形壁２５を有する。図５ｉおよび図５ｉｉに最もよく見られるように、リム２６は、リム２６の内面の周りに円周方向に延びる肩部２７を提供する段付き部を有する。リム２６はまた、リム２６の周囲に周方向に、かつ第１の容器２０の外側に延在するリップ２８を含む。
【００３０】
第２の容器２２は半球形のボウルであり、周縁を有する。図には示されていないが、ボウルは、第２の容器２２に注がれるべき洗浄液の最適および／または最大量を示すマークをその側面に有することが好ましい。図５ｉおよび図５ｉｉを参照すると、円形断面を有するピボットピン３０ａ、３０ｂは、第２の容器２２の第１の開口部を直径方向に横切って延びる共通軸上で、第２の容器２２の２つの対向する側面の各々から延びる。ピボットピン３０ａ、３０ｂは、第１の容器２０のリム２６上に単に載っている。第２の容器２２は、自重により、液体保持形態になるように位置する。これは、軸に対する第２の容器２２の対称性による。必須ではないが、ピボットピン３０ａ、３０ｂは第２の容器２２と一体に形成されている。
【００３１】
弓形ハンドル３２は、第２の容器２２から離れたピボットピン３０ａ、３０ｂの各々の端部に固定して取り付けられる。ハンドル３２は、第２の容器２２内の液体を第１の容器２０内にあけるために、第２の容器２２が軸を中心に動かされることを可能にする。ハンドル３２が飛沫ガード２４の周囲に延びているため、第２の容器２２は回転されずに、軸を中心に旋回されるだけである。変形実施形態では、ハンドル３２は、第２の容器２２が回転され得るように、他の方法で構成され得る。例えば、ハンドルを取り付けて、ピボットピン３０ａ、３０ｂの一方のみを回転させることができる。
【００３２】
飛沫ガード２４は、下縁がリム２６と係合した状態で、第１の容器２０のリム２６上に取り付けられるように構成されている。飛沫ガード２４は、第１の容器２０のリム２６から上向きに延びて、第２の容器２２の上方に位置する第２の開口部３６を画定するように形成され、この開口部３６を通して、ブラシの繊維端を洗浄のために挿入することができる。
【００３３】
飛沫ガード２４は、また、洗浄に使用される第２の容器２２内の液体の上方、およびブラシの繊維端がブラシの乾燥のために電動装置によって回転され得る第２の開口部３６の下方に、空間を提供するように形成される。繊維にかかる力は遠心力であるので、飛沫は概して外側に向けて生じ、飛沫ガード２４は、このような飛沫を阻止するように配置されている。第２の開口部３６は、空気中の湿ったブラシの回転からのわずかな飛沫が、開口部を通って逃げる程度の大きさである。
【００３４】
飛沫ガード２４および第２の容器２２は、ハンドル３２を使用して第２の容器２２をピボットピン３０ａ、３０ｂの周りで回転させて、第２の容器２２から汚れた液体をあけることができるように、このために必要な第２の容器２２の移動を飛沫ガード２４が制限することがないように、形成されている。飛沫ガード２４は、第２の容器２２を傾けることができる形状であり、第２の開口部３６を除いて半球状であってもよい。
【００３５】
飛沫ガード２４の下縁は、図１に最もよく見られるように、下向きに延びる段付き部分を含み、この下向きに延びる段付き部分の形状が第１の容器２０の段付き部分に対応し、飛沫ガード２４が第１の容器２０に取り付けられたときに、２つの段付き部分が圧入方式で係合する。変形実施形態では、第１の容器２０および飛沫ガード２４が、円周方向のねじ山によって一緒に螺合するように構成されてもよい。
【００３６】
飛沫ガード２４は、また、その下縁の直径方向に対向する側部の各々に凹部３４を含む。凹部３４のそれぞれは、それぞれのピボットピン３０ａ、３０ｂの上に配置され、ピボットピン３０ａ、３０ｂは飛沫ガード２４の取り付けを妨げない。凹部３４のそれぞれの最も深い領域は、凹部３４を通って装置から液体が出るのを避けるために、それぞれのピボットピン３０ａ、３０ｂの円形断面にぴったりと合うように形成される。また、円形断面は、第２の容器２２の旋回を容易にする。
【００３７】
この実施形態では、ハンドル３２がピボットピン３０ａ、３０ｂの一方から他方まで、飛沫ガード２４の周囲に延びている。ハンドル３２および飛沫ガード２４は、それぞれ、ハンドル３２が飛沫ガード２４の一方の側から他方の側へ約１８０°にわたって使用者によって動かすことができ、これによって、第２の容器２２を１８０°だけ回転させ得るような形状にされる。ハンドル３２を動かすことができて第２の容器２２が傾けられる角度の範囲が、図４ｉから図４ｖに示されている。
【００３８】
変形実施形態では、第１の容器２０、第２の容器２２、飛沫ガード２４、およびハンドル３２は、飛沫ガードの動きを制限することなく第２の容器２２を傾けることができ、飛沫ガードおよび第２の容器を第１の容器に取り付けて飛沫を防ぎ、ハンドルを飛沫ガード上で動かすことができるように、他の形状にすることができる。これは、例えば、半円筒形の第２の容器、概して半円筒形（第２の開口部を除く）の飛沫ガード、半円筒形の飛沫ガード上を移動するように成形されたハンドル、および飛沫ガードを取り付けるために成形されたリムを有する第１の容器を用いて達成され得る。
【００３９】
飛沫ガード２４およびハンドル３２は、ピボットピン３０ａ、３０ｂの間の飛沫ガード２４の一方の側およびピボットピン３０ａ、３０ｂの間の飛沫ガード２４の他方の側において、ハンドル３２がその下端付近の飛沫ガード２４と機械的に係合するように構成されている。図６ｉから図６ｉｉｉに見られるように、この目的のために、ハンドル３２は内向きに延びるラグ３８を有し、飛沫ガード２４は、側面のそれぞれに一対の突起４０、４２を有する。各側面の第１の突起４０およびラグ３８はそれぞれ、ラグ３８が第１の突起４０上を移動できないように構成される。第２の突起４２は、第１の突起４０の上に配置され、ラグ３８および第２の突起４２はそれぞれ、ユーザが第２の突起４２の上でラグ３８を移動させて、第１の突起４０と第２の突起４２との間に画定された凹部に係合させることができ、かつ、ユーザによってラグ３８をこの凹部から取り外し可能であるように構成される。したがって、ハンドル３２は、第２の容器２２が液体保持位置にある第１の位置と、第２の容器２２が上下逆になっている収納位置とにロックすることができる。排出のためには第２の容器２２を収納位置まで回転させる必要はなく、第２の容器２２はその中の液体が排出されるまで傾けるだけでよい。
【００４０】
有用なことに、ハンドル３２が収納位置で第２の容器２２と逆向きでロックされるとき、液体保持装置を容器として使用することができる。したがって、ブラシ、メークアップ、石鹸などは、収納および持ち運びのために第１の容器２０内に配置することができる。
【００４１】
第２の容器２２は、液体保持位置にあるとき、各ピボットピン３０ａ、３０ｂの領域に上向きに延びるローブ４４を有する。これは、凹部３４での飛沫を防止または妨げて、液体の流出を防止するためである。図示していないが、液体の流出を防止するために、ピボットピン３０ａ、３０ｂの周囲にゴム製のオーリングを配置することができる。
【００４２】
図７ｉ〜図７ｉｉおよび図８を参照すると、実施形態において、第２の容器は、ブラシの繊維端が洗浄を容易にするために擦られ得る突起またはくぼみを備えて構成され得る。図７ｉにおいて、第２の容器２２は、その上に複数の突起４６を有する。図７ｉｉにおいて、第２の容器２２は、第２の容器２２の中央から実質的に半径方向に延びる複数の溝４８を有する。図７ｉｉｉにおいて、第２の容器の表面の一部は、くぼみ５０を有する。図７ｉｖでは、螺旋状の溝５２が第２の容器２２の表面に配置されている。図７ｖでは、第２の容器２２の中心に、突起５４が設けられている。図８では、複数の同心リッジ５６が第２の容器２２の中心の周りに設けられている。
【００４３】
洗浄液は、水に混合された石鹸、典型的には液体石鹸を含むことができる。洗浄液は、滅菌剤を含んでもよい。洗浄液は、アルコール系であってもよい。
【００４４】
第１および第２の容器２０、２２は、透明な硬質プラスチックで作ることができる。一方または両方は、汚れによる洗浄液の変色を部分的または全体的に隠すために、半透明または着色プラスチックから作ることができる。第１および第２の容器２０、２２の一方または両方は、不透明なプラスチックで作ることができる。プラスチックの代わりに、プラスチック以外の材料を使用して、第１および第２の容器を形成することができる。
【００４５】
図９を参照すると、使用中、使用者は、ステップ２００において、ブラシの繊維端が浸漬され得るのに十分な量の液体で第２の容器２２を満たす。好ましくは、装置は電動ブラシ洗浄装置と共に使用される。このような装置はブラシのハンドル端部を保持し、ブラシをその長さに沿って回転させるように構成される。繊維端が洗浄液中にあるときにブラシが回転される場合、これは、ブラシの繊維端の繊維が遠心力の下で外側に移動し、洗浄液が繊維間に浸透することを可能にする。これはまた、繊維が互いに擦れ合い、洗浄を助ける結果となる。
【００４６】
このように、使用者はステップ２０２において、飛沫ガードによって提供される第２の開口部３ｂを通して、ブラシの繊維端を第２の容器２２内の洗浄液に挿入し、ブラシは、洗浄液中にある間に回転される。使用者は、繊維端を第２の容器２２の底部上で静かに擦ることができる。次に、使用者はステップ２０４において、ブラシが回転されている間に、繊維端を洗浄液から持ち上げて、飛沫ガード２４内の洗浄液の上方にブラシを保持する。ブラシは回転中に急速に乾燥し、次いで、ユーザは、回転を止めるために電動装置を操作する。次に、ステップ２０６において、ユーザはブラシを装置から取り外す。
【００４７】
次いで、汚れた洗浄液が装置内に残される。別のブラシを洗浄する前に、使用者はハンドル３２を操作して、汚れた洗浄液を第２の容器２２から第１の容器２０内にあける。これを行う際に、ステップ２０８において、使用者がハンドル３２を操作すると、ラグ３８が第２の突起４２上を移動し、ハンドル３２が飛沫ガード２４上を移動し、それにより、第１の容器２０がピボットピン３０ａ、３０ｂの軸上で回転する。次いで、使用者は、第２の容器２２が反転した状態で、ラグ３８が飛沫ガード２４の反対側の第１および第２の突起４０の間にあるように、ハンドル３２を配置することができる。ハンドル３２のこの動きは、図４ｉから図４ｖに示されている。あるいは、使用者が、第２の容器２２が液体保持位置にある状態で、ハンドル３２をその初期位置に戻すことができる。第２の容器２２をその液体保持位置に戻した後、ステップ２１０に示すように、使用者は他のブラシの洗浄に使用するためにより多くの液体を加えることができる。
【００４８】
ユーザは、第１の容器が満杯になる前に第２の容器２２を数回空にすることができる。次いで、第１の容器２０は使用者によって空にされる。
【００４９】
上述の装置は図１０に示される従来技術の装置に比べて有利である。その理由は、装置が使用されるたびに空にされる必要がないからである。例えば、これは、多くのブラシが使用される商業的環境で装置が使用され、装置を空にするための排水管が都合よく配置されていない場合に特に有用である。
【００５０】
本装置を電動回転装置と共に使用することは必須ではない。使用者は、手動でブラシの繊維端を第２の容器２２の表面に擦り付けて洗浄することができる。
【００５１】
ここで、図１１ｉから図１１ｉｉｉを参照して、別の実施形態による装置（「変更された装置」）を説明するが、ここでは飛沫ガードおよび第２の容器の第１の容器への取り付けに関する部品が上述の装置と比較して変更されている。飛沫ガード、第１の容器、および第２の容器部分は、それぞれ１２４、１２２、および１２０で参照され、前の図のものとほぼ同じ部分は１００で増分された同じ参照番号で示される。各ピボットピン１３０ａ、１３０ｂが第２の容器１２２に接合される場合、第２の容器１２２は環状のスペーシングショルダー１３３ａ、１３３ｂを含み、その結果、第２の容器１２２は、第１の容器１２０の内面から最小距離に保たれる。各スペーシングショルダー１３３ａ、１３３ｂは、それぞれのピボットピン１３０ａ、１３０ｂが第２の容器１２２に接合する周囲に平坦な環状表面を提供する。
【００５２】
ピボットピン１３０ａ、１３０ｂの各々は、その周囲に延びるシールリング１３５ａ、１３５ｂを有する。例えば、シールリング１３５ａ、１３５ｂは、ニトリルブタジエンゴムで作られてもよい。
【００５３】
シールリング１３５ａ、１３５ｂの各々は、円筒状本体と、第２の容器１２２に近接する円筒状本体の端部における半径方向に延びるフランジ部分１３７ａと、本体から延びる環状突起１３９ａとを有する。ピボットピン１３０ａ、１３０ｂは第１の容器１２０のリム１２６上に載置され、シールリングの下側部分はそれぞれのピボットピン１３０ａ、１３０ｂと第１の容器１２０との間に配置される。
【００５４】
フランジ部分１３７ａは、スペーシングショルダー１３３ａ、１３３ｂの平坦な環状面に対して面一に当接する。各シールリング１３３ａ、１３３ｂのフランジ部分１３７ａの一部もまた、平坦な環状表面を越えて延びるように寸法決めされる。環状シールリング１３５ａ、１３５ｂの各々の、フランジ部分１３７ａと円筒状本体とが出会うコーナー領域は、第１の容器１２０のリム２６のコーナーエッジに嵌合する。突起１３９ａはフランジ部分１３７ａから離間してリップ１２８上に位置し、ピボットピン１３０ａ、１３０ｂがリム１２６上に位置しているときにピボットピン１３０ａ、１３０ｂの軸方向の動きを防止する。第２の容器１２２は、自重で液体保持形態になる。これは、軸に対する第２の容器１２２の対称性による。
【００５５】
飛沫ガード２４は、下縁がリム１２６と係合した状態で、第１の容器１２０のリム１２６に取り付けるように構成されている。
【００５６】
飛沫ガード１２４および第２の容器１２２は、第２の容器１２２の動きを制限する飛沫ガード１２４を用いずに、汚れた液体を第２の容器１２２から傾けるために、ハンドル１３２を使用して第２の容器１２２をピボットピン１３０ａ、１３０ｂの周りに回転できるように成形される。飛沫ガード１２４は、第１の容器１２０を傾けることができるように形成され、第２の開口部１３６を除いて半球形とすることができる。
【００５７】
飛沫ガード１２４の下縁は、下方に延びる部分１４１を含む。部分１４１は図１の１３４ａで示されるような一対の凹部を除いて、第１の容器１２０の周りに円周方向に延びるように形成され、凹部はピボットピン１３０ａ、１３０ｂ上に嵌合する。飛沫ガード１２４は、スペーシングショルダー１３３ａの平らな表面を越えて延びる半径方向フランジ１３７ａの部分に嵌合するチャネル部分１４５を含むように形作られる。
【００５８】
この他の実施例では、図１に示す装置と同じ方法で変更された装置を使用し、この変更された装置も、第１の容器１２０上の第２の容器１２２の位置と、第１の容器１２０上のピボットピン１３０ａ、１３０ｂ上の飛沫ガード１２６の圧入によって組み立てられる。
【００５９】
当業者であれば、実施形態に対して様々な変更が可能であることを理解するのであろう。特に、使用者が液体を捨てて、装置を液体保持形態に戻すことができるように、装置の構成についての変更が可能である。
【００６０】
そのような変形実施形態では、第２の容器２２が軸を旋回可能でも回転可能でもなくてもよい。その代わり、第２の容器２２はその底部に、プラグで密封して閉じられた穴を含む。プラグはその上にアイレットを有し、プラグは、アイレットに取り付けることができるフックを端部に有するスティックを使用して、ユーザによって取り外すことができる。プラグは第２の容器内の液体が第１の容器２０内に排出された後に、穴を閉じるために戻すことができる。
【００６１】
別の変形実施形態では、飛沫ガード２４を、ねじれロックタイプの取り付け機構、または別のタイプの取り付け機構によって第１の容器２０に取り付けることができる。
【００６２】
変形例では、飛沫ガード２４が開口部３６の直径を変化させることができるように構成される。これを可能にするために、飛沫ガード２４は、飛沫ガード２４の残りの部分から取り外し可能な環状部品を含む。環状部品が開口３６の周囲に飛沫ガード２４の一部として配置される場合、開口部３６は比較的小さい。環状部品が取り外されると、開口部はより大きくなる。環状部品は、飛沫ガード２４の残りの部分に押し嵌め式にクリップ留めするように構成することができる。
【００６３】
このような環状部品は、部品１０６を取り外した状態で、図１０に示す従来技術のボウルと共に使用することもできる。容器および飛沫ガード手段を含む装置において、飛沫ガードは、取り外し可能な環状片を含み得る。
【００６４】
本出願人は、本明細書で説明される個々の特徴またはステップ、および２つ以上のそのような特徴の任意の組み合わせを、そのような特徴またはステップ、または特徴および／またはステップの組み合わせが、本明細書で開示される任意の問題を解決するかどうかにかかわらず、特許請求の範囲に限定を加えることなく、当業者の共通の一般知識に照らして、本明細書全体に基づいて実施することができる範囲で、本明細書で単独で開示する。
【図１】
2019005584.tif 000003
【図２】
2019005584.tif 000004
【図３】
2019005584.tif 000005
【図４ｉ】
2019005584.tif 000006
【図４ｉｉ】
2019005584.tif 000007
【図４ｉｉｉ】
2019005584.tif 000008
【図４ｉｖ】
2019005584.tif 000009
【図４ｖ】
2019005584.tif 000010
【図５ｉ】
2019005584.tif 000011
【図５ｉｉ】
2019005584.tif 000012
【図６ｉ】
2019005584.tif 000013
【図６ｉｉ】
2019005584.tif 000014
【図６ｉｉｉ】
2019005584.tif 000015
【図７ｉ】
2019005584.tif 000016
【図７ｉｉ】
2019005584.tif 000017
【図７ｉｉｉ】
2019005584.tif 000018
【図７ｉｖ】
2019005584.tif 000019
【図７ｖ】
2019005584.tif 000020
【図８】
2019005584.tif 000021
【図９】
2019005584.tif 000022
【図１０】
2019005584.tif 000023
【図１１ｉ】
2019005584.tif 000024
【図１１ｉｉ】
2019005584.tif 000025
【図１１ｉｉｉ】
2019005584.tif 000026
【外国語明細書】
2019005584.tif 000027
2019005584.tif 000028
2019005584.tif 000029
2019005584.tif 000030
2019005584.tif 000031
2019005584.tif 000032
2019005584.tif 000033
2019005584.tif 000034
2019005584.tif 000035
2019005584.tif 000036
2019005584.tif 000037
2019005584.tif 000038
2019005584.tif 000039
2019005584.tif 000040
2019005584.tif 000041
2019005584.tif 000042
2019005584.tif 000043
2019005584.tif 000044
2019005584.tif 000045
2019005584.tif 000046
2019005584.tif 000047
2019005584.tif 000048
2019005584.tif 000049
2019005584.tif 000050
2019005584.tif 000051
2019005584.tif 000052
2019005584.tif 000053
2019005584.tif 000054
2019005584.tif 000055
2019005584.tif 000056
2019005584.tif 000057
2019005584.tif 000058
2019005584.tif 000059
2019005584.tif 000060
2019005584.tif 000061
2019005584.tif 000062
2019005584.tif 000063
2019005584.tif 000064
2019005584.tif 000065
2019005584.tif 000066
2019005584.tif 000067
2019005584.tif 000068
2019005584.tif 000069